【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
少なくとも１つの光安定性発色団が、ペリレン誘導体染料、ベンゾトリアゾール誘導体染料、およびベンゾチアジアゾール誘導体染料からなる群から選択される有機染料である、波長変換膜。
【請求項２】
少なくとも１つの光安定性発色団が、式（Ｉ−ａ）または（Ｉ−ｂ）
【化１】
2013084952.tif 000001
によって表され、式中、
ｉが、０〜１００の範囲内にある整数であり、
Ａ０およびＡｉが、それぞれ独立して、場合により置換されたアルキル、場合により置換されたアルケニル、場合により置換されたヘテロアルキル、場合により置換されたアリール、場合により置換されたヘテロアリール、場合により置換されたアミノ、場合により置換されたアミド、場合により置換された環状アミド、場合により置換された環状イミド、場合により置換されたアルコキシ、場合により置換されたカルボキシ、および場合により置換されたカルボニルからなる群から選択され；
Ａ２が、場合により置換されたアルキレン、場合により置換されたアルケニレン、場合により置換されたアリーレン、場合により置換されヘテロアリーレン、ケトン、エステル、および
【化２】
2013084952.tif 000002
からなる群から選択され；
Ａｒが、場合により置換されたアリールまたは場合により置換されたヘテロアリールであり；Ｒ１が、Ｈ、アルキル、アルケニル、アリール、ヘテロアリール、アラルキル、およびアルカリールからなる群から選択され；Ｒ２が、場合により置換されたアルキレン、場合により置換されたアルケニレン、場合により置換されたアリーレン、場合により置換されたヘテロアリーレン、ケトン、およびエステルからなる群から選択されるか；または、Ｒ１とＲ２とが一緒に接続されて環を形成していてもよく；
Ｄ１およびＤ２が、それぞれ独立して、水素、場合により置換されたアルコキシ、場合により置換されたアリールオキシ、場合により置換されたアシルオキシ、場合により置換されたアルキル、場合により置換されたアリール、場合により置換されたヘテロアリール、場合により置換されたアミノ、アミド、環状アミド、および環状イミドからなる群から選択され、但し、Ｄ１およびＤ２は両方ともが水素ではなく；
Ｌｉが、独立して、場合により置換されたアルキレン、場合により置換されたアルケニレン、場合により置換されたアルキニレン、場合により置換されたアリーレン、および場合により置換されたヘテロアリーレンからなる群から選択される、請求項１に記載の波長変換膜。
【請求項３】
少なくとも１つの光安定性発色団が、さらに、式（ＩＩ−ａ）または（ＩＩ−ｂ）
【化３】
2013084952.tif 000003
によって表され、式中、
ｉが、０〜１００の範囲内にある整数であり、
Ａｒが、場合により置換されたアリールまたは場合により置換されたヘテロアリールであり；
Ｒ４が、
【化４】
2013084952.tif 000004
または場合により置換された環状イミドであり；
Ｒ１が、それぞれ独立して、Ｈ、アルキル、アルケニル、アリール、ヘテロアリール、アラルキル、およびアルカリールからなる群から選択され；
Ｒ３が、それぞれ独立して、場合により置換されたアルキル、場合により置換されたアルケニル、場合により置換されたアリール、および場合により置換されたヘテロアリールからなる群から選択されるか；または、Ｒ１とＲ３とが一緒に接続されて環を形成していてもよく；
Ｒ２が、場合により置換されたアルキレン、場合により置換されたアルケニレン、場合により置換されたアリーレン、および場合により置換されたヘテロアリーレンからなる群から選択され；
Ｄ１およびＤ２が、それぞれ独立して、水素、場合により置換されたアルコキシ、場合により置換されたアリールオキシ、場合により置換されたアシルオキシ、場合により置換されたアルキル、場合により置換されたアリール、場合により置換されたヘテロアリール、場合により置換されたアミノ、アミド、環状アミド、および環状イミドからなる群から選択され、但し、Ｄ１およびＤ２は両方ともが水素ではなく；
Ｌｉが、独立して、場合により置換されたアルキレン、場合により置換されたアルケニレン、場合により置換されたアルキニレン、場合により置換されたアリーレン、および場合により置換されたヘテロアリーレンからなる群から選択される、請求項１に記載の波長変換膜。
【請求項４】
少なくとも１つの光安定性発色団が、さらに、式（ＩＩＩ−ａ）または（ＩＩＩ−ｂ）
【化５】
2013084952.tif 000005
によって表され、式中、
ｉが、０〜１００の範囲内にある整数であり、
Ａ０およびＡｉが、それぞれ独立して、場合により置換されたアルキル、場合により置換されたアルケニル、場合により置換されたヘテロアルキル、場合により置換されたアミド、場合により置換されたアルコキシ、場合により置換されたカルボニル、および場合により置換されたカルボキシからなる群から選択され；
各Ｒ５が、独立して、場合により置換されたアルコキシ、場合により置換されたアリールオキシ、場合により置換されたアシルオキシ、およびアミノからなる群から選択され；
Ａ２が、場合により置換されたアルキレン、場合により置換されたアルケニレン、場合により置換されたアリーレン、場合により置換されヘテロアリーレン、ケトン、エステル、および
【化６】
2013084952.tif 000006
からなる群から選択され；
Ａｒが、場合により置換されたアリールまたは場合により置換されたヘテロアリールであり；Ｒ１が、Ｈ、アルキル、アルケニル、アリール、ヘテロアリール、アラルキル、およびアルカリールからなる群から選択され；Ｒ２が、場合により置換されたアルキレン、場合により置換されたアルケニレン、場合により置換されたアリーレン、場合により置換されたヘテロアリーレン、ケトン、およびエステルからなる群から選択されるか；または、Ｒ１とＲ２とが一緒に接続されて環を形成していてもよく；
Ｌｉが、独立して、場合により置換されたアルキレン、場合により置換されたアルケニレン、場合により置換されたアルキニレン、場合により置換されたアリーレン、および場合により置換されたヘテロアリーレンからなる群から選択される、請求項１に記載の波長変換膜。
【請求項５】
少なくとも１つの光安定性発色団が、式（ＩＶ）
【化７】
2013084952.tif 000007
によって表され、式中、
ｉが、０〜１００の範囲内にある整数であり、
ＺおよびＺｉが、それぞれ独立して、−Ｏ−、−Ｓ−、−Ｓｅ−、Ｔｅ−、ＮＲ６−、−ＣＲ６＝ＣＲ６−、および−ＣＲ６＝Ｎ−からなる群から選択され、Ｒ６が、水素、場合により置換されたＣ１〜Ｃ６アルキル、または場合により置換されたＣ１〜Ｃ１０アリールからなる群から選択され；
Ｄ１およびＤ２が、独立して、場合により置換されたアルコキシ、場合により置換されたアリールオキシ、場合により置換されたアシルオキシ、場合により置換されたアルキル、場合により置換されたアリール、場合により置換されたヘテロアリール、場合により置換されたアミノ、アミド、環状アミド、および環状イミドからなる群から選択され；
ｊは、０、１または２であり、ｋは、０、１または２であり；
Ｙ１およびＹ２は、独立して、場合により置換されたアリール、場合により置換されたアルキル、場合により置換されたシクロアルキル、場合により置換されたアルコキシ、および場合により置換されたアミノからなる群から選択され；
Ｌｉが、独立して、場合により置換されたアルキレン、場合により置換されたアルケニレン、場合により置換されたアルキニレン、場合により置換されたアリーレン、および場合により置換されたヘテロアリーレンからなる群から選択される、請求項１に記載の波長変換膜。
【請求項６】
少なくとも１つの光安定性発色団が、式（Ｖ−ａ）または式（Ｖ−ｂ）
【化８】
2013084952.tif 000008
によって表され、式中、
式（Ｖ−ａ）のＲ１およびＲ１’が、それぞれ独立して、水素、Ｃ１〜Ｃ１０アルキル、Ｃ３〜Ｃ１０シクロアルキル、Ｃ１〜Ｃ１０アルコキシ、Ｃ６〜Ｃ１８アリール、およびＣ６〜Ｃ２０アラルキルからなる群から選択され；式（Ｖ−ａ）のｍおよびｎが、それぞれ独立して、１、２、３、４または５であり；式（Ｖ−ｂ）のＲ２およびＲ２’が、それぞれ独立して、Ｃ６〜Ｃ１８アリールおよびＣ６〜Ｃ２０アラルキルからなる群から選択される、請求項１に記載の波長変換膜。
【請求項７】
酸素および水分が波長変換層に浸透するのを阻害するように構成された保護層をさらに含む、請求項１〜６のいずれか１項に記載の波長変換膜。
【請求項８】
保護層が、ポリエチレンテレフタレート、ポリメタクリル酸メチル、ポリビニルブチラール、エチレン酢酸ビニル、エチレンテトラフルオロエチレン、ポリイミド、アモルファスポリカーボネート、ポリスチレン、シロキサンゾル−ゲル、ポリウレタン、ポリアクリレート、およびこれらの組み合わせからなる群から選択される材料を含む、請求項７に記載の波長変換膜。
【請求項９】
保護層の厚みが、約５０μｍ〜約１ｍｍの範囲内にある、請求項７〜８のいずれか１項に記載の波長変換膜。
【請求項１０】
波長変換層が、少なくとも２つの異なる光安定性発色団を含む、請求項１〜９のいずれか１項に記載の波長変換膜。
【請求項１１】
少なくとも１つの光安定性発色団が、アップコンバージョン発色団である、請求項１〜１０のいずれか１項に記載の波長変換膜。
【請求項１２】
少なくとも１つの光安定性発色団が、ダウンシフトする発色団である、請求項１〜１０のいずれか１項に記載の波長変換膜。
【請求項１３】
波長変換層が、第１の波長変換副層と第２の波長変換副層とを含み、第１の波長変換副層と第２の波長変換副層とが、同じ光安定性発色団を含むか、または異なる光安定性発色団を含む、請求項１〜１２のいずれか１項に記載の波長変換膜。
【請求項１４】
波長変換層のポリマーマトリックスが、ポリエチレンテレフタレート、ポリメタクリル酸メチル、ポリビニルブチラール、エチレン酢酸ビニル、エチレンテトラフルオロエチレン、ポリイミド、アモルファスポリカーボネート、ポリスチレン、シロキサンゾル−ゲル、ポリウレタン、ポリアクリレート、およびこれらの組み合わせからなる群から選択される材料を含む、請求項１〜１３のいずれか１項に記載の波長変換膜。
【請求項１５】
少なくとも１つの光安定性発色団が、波長変換層のポリマーマトリックス中に、ポリマーマトリックスの約０．０１重量％〜約３重量％の量で存在する、請求項１〜１４のいずれか１項に記載の波長変換膜。
【請求項１６】
波長変換膜の厚みが、約１０μｍ〜約２ｍｍの範囲内にある、請求項１〜１５のいずれか１項に記載の波長変換膜。
【請求項１７】
接着剤層が、アクリル、エチレン酢酸ビニル、ポリウレタン、およびこれらの組み合わせからなる群から選択される物質を含む、請求項１〜１６のいずれか１項に記載の波長変換膜。
【請求項１８】
接着剤層の厚みが、約１μｍ〜約１００μｍの範囲内にある、請求項１〜１７のいずれか１項に記載の波長変換膜。
【請求項１９】
接着剤層に隣接する除去可能なライナーをさらに含む、請求項１〜１８のいずれか１項に記載の波長変換膜。
【請求項２０】
除去可能なライナーが、フルオロポリマーまたはポリエチレンテレフタレート（ＰＥＴ）から選択される材料を含む、請求項１９に記載の波長変換膜。
【請求項２１】
除去可能なライナーの厚みが、約１０μｍ〜約１００μｍの範囲内にある、請求項１９〜２０のいずれか１項に記載の波長変換膜。
【請求項２２】
波長変換層の厚みが、約５０μｍ〜約１ｍｍの範囲内にある、請求項１〜２１のいずれか１項に記載の波長変換膜。
【請求項２３】
太陽エネルギー変換デバイスの性能を改善する方法であって、請求項１〜２２のいずれか１項に記載の波長変換膜を太陽エネルギー変換デバイスに適用することと、太陽電池、ソーラーパネルまたは光起電デバイスの光入射面に接着剤層を接着することとを含む、方法。
【請求項２４】
波長変換膜が、ロールラミネーターを用い、太陽エネルギー変換デバイスに適用される、請求項２３に記載の方法。
【請求項２５】
太陽エネルギー変換デバイスが、シリコン系デバイス、ＩＩＩ−Ｖ型またはＩＩ−ＶＩ型のＰＮ接合デバイス、銅−インジウム−ガリウム−セレン（ＣＩＧＳ）薄膜デバイス、有機増感剤デバイス、有機薄膜デバイス、および硫化カドミウム／テルル化カドミウム（ＣｄＳ／ＣｄＴｅ）薄膜デバイスからなる群から選択されるデバイスである、請求項２３〜２４のいずれか１項に記載の方法。
【請求項２６】
太陽エネルギー変換デバイスが、アモルファスシリコン太陽電池、微結晶性シリコン太陽電池、および結晶性シリコン太陽電池からなる群から選択される少なくとも１つのデバイスを含む、請求項２３〜２５のいずれか１項に記載の方法。
【請求項２７】
太陽エネルギー変換デバイスの光入射面が、ガラスまたはポリマーを含む材料である、請求項２３〜２６のいずれか１項に記載の方法。
【請求項２８】
（ａ）波長変換層を形成する工程と、
（ｂ）保護層を形成し、保護層を波長変換層の上に直接積層する工程と、
（ｃ）波長変換層の上の、保護層とは反対側の表面に、除去可能なライナーを含む接着剤層を積層する工程とを含む、請求項７〜２２のいずれか１項に記載の波長変換膜を形成する方法。